(57)【要約】【課題】  振動モジュールを有したテレビジョン装置を提供する。【解決手段】  テレビジョン装置は、筐体と、筐体に取り付けられた振動モジュールと、筐体に固定されるとともに、振動モジュールを振動可能に支持した支持部と、振動モジュールを振動させる発振ユニットと、を具備する。テレビジョン装置は、振動モジュールおよび筐体のいずれか一方から振動モジュールおよび筐体のいずれか他方に向けて突出した複数の第１の突出部と、複数の第１の突出部の先端部間に亘って設けられたシートと、振動モジュールおよび筐体のいずれか他方に設けられるとともに、第１の突出部同士の間の位置でシートに突き当たった複数の第２の突出部と、を具備する。【選択図】図４
2011244427.tif 000002
【特許請求の範囲】
【請求項１】
筐体と、
前記筐体に振動可能に取り付けられた振動モジュールと、
前記振動モジュールおよび前記筐体のいずれか一方から前記振動モジュールおよび前記筐体のいずれか他方に向けて突出した複数の第１の突出部と、
前記複数の第１の突出部の先端部間に亘って設けられたシートと、
前記振動モジュールおよび前記筐体のいずれか他方に設けられるとともに、前記第１の突出部同士の間の位置で前記シートに突き当たった複数の第２の突出部と、
を具備したテレビジョン装置。
【請求項２】
筐体と、
前記筐体に振動可能に取り付けられたモジュールと、
前記モジュールおよび前記筐体のいずれか一方から前記モジュールおよび前記筐体のいずれか他方側に突出した第１の突出部と、
前記第１の突出部から外れた位置で前記モジュールおよび前記筐体のいずれか他方から前記モジュールおよび前記筐体のいずれか一方側に突出した第２の突出部と、
前記第１の突出部と前記第２の突出部との間に設けられた緩衝部と、
を具備したテレビジョン装置。
【請求項３】
前記モジュールおよび前記筐体のいずれか一方は、板状部を具備し、この板状部は、前記第１の突出部が設けられた第１の面と、この第１の面とは反対側の第２の面と、を有し、
前記緩衝部は、前記第１の面と、前記第２の面との両面に接着された請求項２に記載のテレビジョン装置。
【請求項４】
前記緩衝部は、所定の厚みを有するとともに弾性を有したシートである請求項３に記載のテレビジョン装置。
【請求項５】
前記緩衝部は、スポンジシートである請求項４に記載のテレビジョン装置。
【請求項６】
筐体と、
前記筐体に変位可能に取り付けられたモジュールと、
前記モジュールおよび前記筐体のいずれか一方から前記モジュールおよび前記筐体のいずれか他方側に突出した突出部と、
前記突出部の先端と前記モジュールおよび前記筐体のいずれか他方との間に設けられた緩衝部と、
を具備した電子機器。
【請求項７】
前記突出部が設けられた第１の面と、この第１の面とは反対側の第２の面と、を有した板状部を具備し、
前記緩衝部は、前記第１の面と、前記第２の面との両面に接着された請求項６に記載の電子機器。
【請求項８】
前記緩衝部は、所定の厚みを有するとともに弾性を有したシートである請求項７に記載の電子機器。
【請求項９】
前記緩衝部は、スポンジシートである請求項８に記載の電子機器。
【発明の詳細な説明】
【技術分野】
【０００１】
本発明の実施形態は、振動モジュールを備えたテレビジョン装置および電子機器に関する。
【背景技術】
【０００２】
携帯電話機やその他の電子機器において、筐体を振動させるバイブレーション機能を持たせることが広く行なわれている。バイブレーション機能を持たせた電子機器では、その振動の使用方法は用途に応じて様々である。例えば、携帯電話機では、電話の着信時やメールの受信時に、ユーザに電話の着信やメールの受信があったことを知らせる用途で用いられる。
【先行技術文献】
【特許文献】
【０００３】
【特許文献１】特開２０００−１３７５７６号公報
【発明の概要】
【発明が解決しようとする課題】
【０００４】
ところで、上述した電子機器にバイブレーション機能を持たせることは従来から行なわれているが、例えばテレビジョン装置等、その他の電子機器にバイブレーション機能を持たせた場合には、振動音を発生しないほうが望ましいことがあり、振動音を発生しない技術が望まれていた。
【０００５】
本発明は、振動モジュールを有したテレビジョン装置を提供することを目的とする。
【課題を解決するための手段】
【０００６】
実施形態のテレビジョン装置は、筐体と、前記筐体に振動可能に取り付けられた振動モジュールと、前記振動モジュールおよび前記筐体のいずれか一方から前記振動モジュールおよび前記筐体のいずれか他方に向けて突出した複数の第１の突出部と、前記複数の第１の突出部の先端部間に亘って設けられたシートと、前記振動モジュールおよび前記筐体のいずれか他方に設けられるとともに、前記第１の突出部同士の間の位置で前記シートに突き当たった複数の第２の突出部と、を具備した。
【図面の簡単な説明】
【０００７】
【図１】第１の実施形態の電子機器の一例であるテレビジョン装置を示した正面図。
【図２】図１に示すテレビジョン装置のＦ２−Ｆ２線に沿った断面図。
【図３】図１に示すテレビジョン装置のＦ３−Ｆ３線に沿った断面図。
【図４】図３に示すテレビジョン装置のＦ４−Ｆ４線に沿った断面図。
【図５】第２の実施形態の電子機器の一例であるテレビジョン装置の第１の突出部、第２の突出部、シートを示した断面図。
【図６】第３の実施形態に係る電子機器の一例であるポータブルコンピュータを示した斜視図。
【図７】図６に示すポータブルコンピュータを分解して振動モジュールおよび第２のディスプレイを示した斜視図。
【図８】図６に示すポータブルコンピュータの振動モジュールおよび第２のディスプレイを取り外した状態の筐体を示した斜視図。
【図９】図７に示すポータブルコンピュータの本体ユニットのＦ９−Ｆ９線に沿った断面図。
【図１０】図７に示すポータブルコンピュータの振動モジュールを筐体の内部方向から見た斜視図。
【図１１】図１０に示す振動モジュールを図１０と異なる角度で筐体の内部方向から見た状態を示すとともに、第１の板状部からシートを取り外した状態を示した斜視図。
【図１２】図１１に示す振動モジュールの位置Ａを拡大して示した斜視図。
【図１３】図７に示すポータブルコンピュータの本体ユニットのＦ１３−Ｆ１３線に沿った断面図。
【図１４】図１３に示すポータブルコンピュータのＦ１４−Ｆ１４線に沿った断面図。
【図１５】第４の実施形態の電子機器の一例であるポータブルコンピュータの第１の突出部、第２の突出部、シートを示した断面図。
【図１６】第５の実施形態の電子機器の一例であるポータブルコンピュータの第１の突出部、第２の突出部、シートを示した断面図。
【図１７】第６の実施形態の電子機器の一例であるポータブルコンピュータの第１の突出部、第２の突出部、シートを示した断面図。
【図１８】第７の実施形態の電子機器の一例であるポータブルコンピュータの第１の突出部、第２の突出部、シートを示した断面図。
【図１９】第８の実施形態の電子機器の一例であるポータブルコンピュータの第１の突出部、第２の突出部、シートを示した断面図。
【発明を実施するための形態】
【０００８】
図１に示すように、本実施形態にかかる電子機器の一例であるテレビジョン装置は、長方形の外観を有した薄型の表示装置である。このテレビジョン装置１１は、筐体１２と、筐体１２を支持する脚部１３と、筐体１２に取り付けられた振動モジュール１４と、を備えている。
【０００９】
図１から図３に示すように、テレビジョン装置１１は、振動モジュール１４を振動可能に支持した支持部１５と、振動モジュール１４を振動させる発振ユニット１６と、振動モジュール１４から筐体１２に向けて突出した複数の第１の突出部１７と、複数の第１の突出部１７の先端部間に亘って設けられたシート１８と、筐体１２から振動モジュール１４に向けて突出する複数の第２の突出部１９と、筐体１２の内面に固定された平板状のディスプレイパネル２０と、を備えている。ディスプレイパネル２０は、例えば、液晶ディスプレイ等で構成されている。
【００１０】
ディスプレイパネル２０は、支持部１５を介して筐体１２にフローティング状態で保持されている。ディスプレイパネル２０は、スポンジシート等で構成された緩衝材２２を介して筐体１２および振動モジュール１４のカバー２６に固定されている。図１に示す発振ユニット１６は、例えば、モータと、このモータによって回転される偏心おもりと、を有している。発振ユニット１６は、例えば振動モジュール１４に固定されている。
【００１１】
図２に示すように、支持部１５は、筐体１２に固定されている。支持部１５は、振動モジュール１４と筐体１２との間に介在されたリング状の弾性ブッシュ２３と、弾性ブッシュ２３の内側に嵌るようにカバー２６から突出した円筒形のボス部２４と、ボス部２４に設けられた貫通孔２４Ａに嵌った固定部材であるねじ２５と、を有している。弾性ブッシュ２３は、エラストマ（例えば合成ゴム）などの柔軟で可撓性を有した弾性材料によって円筒状に形成されている。
【００１２】
図２、図３に示すように、振動モジュール１４は、筐体１２から分離して設けられており、発振ユニット１６の駆動によって筐体１２とは独立に振動することができる。振動モジュール１４は、平板状で枠状のカバー２６（トップカバー）と、カバー２６の内面から筐体１２に向けて突出した方形板状の板状部２７と、カバー２６の外面に固定された平板状のガラス２８と、カバー２６の内周部に設けられた凹部２９と、カバー２６の外面で当該凹部２９内に嵌ってカバー２６に固定されたタッチパネル３０と、を有している。図３に示すように、板状部２７は、第１の突出部１７が設けられた第１の面２７Ａと、第１の面２７Ａとは反対側の第２の面２７Ｂと、を有している。
【００１３】
タッチパネル３０は、例えば、２枚の透明導電膜を貼り合わせて構成されており、手指やスタイラスペン等で押圧された位置を検出することができる。
【００１４】
図３に示すように、振動モジュール１４のカバー２６と筐体１２の間には、若干のクリアランス３３（隙間）が設けられており、振動モジュール１４の振動が筐体１２に伝達されないようになっている。このクリアランス３３は、次に述べるシート１８の作用によって一定の寸法が確保される。クリアランス３３は、振動モジュール１４の四周に確保されている。
【００１５】
図３、図４に示すように、シート１８は、板状部２７の第１の面２７Ａの第１の突出部１７と第２の面２７Ｂとの両面に接着されている。シート１８は、例えば、「Ｕ」字状の断面形状をなすように板状部２７に固定されている。シート１８は、所定の厚みを有した弾性のあるシートである。本実施形態において、シート１８は、例えば微小な空洞を多数有した、いわゆるスポンジシートで構成されている。
【００１６】
シート１８は、複数の第１の突出部１７の先端部にそれぞれ接着されている。また、図４に示すように、第２の突出部１９は、第１の突出部１７同士の間の位置でシート１８に突き当たっている。言い換えると、複数の第２の突出部１９は、複数の第１の突出部１７から外れた位置でシート１８に当接している。第１の突出部１７と第２の突出部１９との間に配置された状態において、シート１８がかすかに圧縮されるように筐体１２および振動モジュール１４が設計されている。
【００１７】
第１の実施形態によれば、テレビジョン装置１１は、筐体１２と、筐体１２の内部に収められた振動モジュール１４と、筐体１２の内面に取り付けられるとともに、振動モジュール１４を振動可能に支持した支持部１５と、振動モジュール１４を振動させる発振ユニット１６と、振動モジュール１４から筐体１２に向けて突出した複数の第１の突出部１７と、複数の第１の突出部１７の先端部間に亘って設けられたシート１８と、筐体１２に設けられるとともに、第１の突出部１７同士の間の位置でシート１８に突き当たった複数の第２の突出部１９と、を具備する。
【００１８】
一般に、動いている物体に働く運動摩擦力Ｆ（Ｎ：ニュートン）は、垂直抗力をＮ（Ｎ）、動摩擦係数をμ´とすると、
Ｆ＝μ´Ｎ
である。上記の構成によれば、第１の突出部１７同士の間の位置でシート１８に第２の突出部１９が当接されるため、第２の突出部１９が当接する箇所でシート１８が撓んで、第２の突出部１９に働く垂直抗力を極めて小さくすることができる。これによって、第２の突出部１９およびシート１８との間で働く運動摩擦力を極力小さくして、振動モジュール１４を筐体１２から着脱する際に、シート１８が第１の突出部１７から剥がれてしまうことを極力防止することができる。また、第１の突出部１７、シート１８、第２の突出部１９を用いた簡単な構造によって、振動モジュール１４の振動が筐体１２に伝わるのを防止することができる。これによって、テレビジョン装置１１の筐体１２にびびり音（振動音）を生ずることがなく、テレビジョン装置１１に高級感を出すことができる。また、第１の突出部１７、シート１８、第２の突出部１９を介した接触構造によって筐体１２の振動を防止できるため、この構造を採用しないテレビジョン装置１１に比して、筐体１２と振動モジュール１４との間のクリアランスを極力小さくすることができる。これによって、テレビジョン装置１１の体裁を良好にするとともに、テレビジョン装置１１の筐体１２の小型化に寄与することができる。
【００１９】
また、本実施形態では、シート１８は、板状部２７の第１の面２７Ａと、第２の面２７Ｂとの両面に接着されている。この構成によれば、修理などを行うため、振動モジュール１４を筐体１２に着脱する際に、シート１８が板状部２７から脱落してしまうことをより一層効果的に防止することができる。
【００２０】
また、シート１８は、所定の厚みを有するとともに弾性を有したシートである。この構成によれば、シート１８の弾性によって、第１の突出部１７および第２の突出部１９などの寸法の公差を吸収することができる。さらに、シート１８は、スポンジシートである。このため、シート１８と第２の突出部１９との間で働く摩擦力および動摩擦係数μ´を小さくして、振動モジュール１４の着脱時にシート１８が第１の突出部１７から剥がれてしまうことをより一層防止することができる。
【００２１】
続いて、図５を参照して、電子機器の第２の実施形態について説明する。第２の実施形態の電子機器の一例であるテレビジョン装置１１は、第１の突出部１７、第２の突出部１９、シート１８の構成が第１の実施形態のものと異なっているが、他の部分は共通している。このため、主として第１の実施形態と異なる部分について説明し、共通する箇所については共通の符号を付して説明を省略する。第２の実施形態のテレビジョン装置１１は、図１に示すものと同様の外観を有する。
【００２２】
図５に示すように、第２の実施形態において、板状部２７は、筐体１２と一体に設けられており、筐体１２から振動モジュール１４に向けてリブ状に突出している。板状部２７は、第１の面２７Ａとこれとは反対側の第２の面２７Ｂとを有しており、第１の面２７Ａに複数の第１の突出部１７が設けられている。複数の第１の突出部１７は、筐体１２から振動モジュール１４に向けて突出している。
【００２３】
また、シート１８は、これら複数の第１の突出部１７の先端部の間に亘るようにこれら先端部に接着されている。シート１８は、板状部２７の第１の面２７Ａと第２の面２７Ｂの両面に接着されることは第１の実施形態と同様である。また、複数の第２の突出部１９は、振動モジュール１４のカバー２６に設けられている。より具体的には、複数の第２の突出部１９は、カバー２６から筐体１２に向けて立ち上がった縦壁部３４から、シート１８に向けてフィン状に突出している。複数の第２の突出部１９は、第１の突出部１７同士の間の位置でシート１８に突き当たっている。
【００２４】
第２の実施形態によれば、テレビジョン装置１１は、筐体１２と、筐体１２の内部に収められた振動モジュール１４と、筐体１２の内面に取り付けられるとともに、振動モジュール１４を振動可能に支持した支持部１５と、振動モジュール１４を振動させる発振ユニット１６と、筐体１２から振動モジュール１４に向けて突出した複数の第１の突出部１７と、複数の第１の突出部１７の先端部間に亘って設けられたシート１８と、振動モジュール１４に設けられるとともに、第１の突出部１７同士の間の位置でシート１８に突き当たった複数の第２の突出部１９と、を具備する。
【００２５】
この構成によれば、筐体１２に第１の突出部１７を設け、この第１の突出部１７の先端部にシート１８を設けた場合であっても、第２の突出部１９に働く垂直抗力を極めて小さくして、第２の突出部１９およびシート１８との間で働く運動摩擦力を極力小さくすることができる。このため、振動モジュール１４を筐体１２に着脱する際に、シート１８が第１の突出部１７から剥がれてしまうことを極力防止することができる。
【００２６】
続いて、図６から図１４を参照して、電子機器の第３の実施形態について説明する。第３の実施形態の電子機器の一例であるポータブルコンピュータ４１は、外観が第１の実施形態のテレビジョン装置１１とは異なっているが、主要な構成において概ね共通している。このため、主として第１の実施形態と異なる部分について説明し、共通する箇所については共通の符号を付して説明を省略する。
【００２７】
図６に示すように、ポータブルコンピュータ４１は、本体ユニット４２と、表示ユニット４３と、本体ユニット４２と表示ユニット４３との間に設けられるヒンジ部４４と、を備えている。ヒンジ部４４は、表示ユニット４３を回転可能に支持している。
【００２８】
表示ユニット４３は、第１のディスプレイ４５と、第１のディスプレイ４５の周囲を取り囲む合成樹脂製のディスプレイケース４６と、を有している。第１のディスプレイ４５は、例えば、液晶ディスプレイで構成される。また、表示ユニット４３は、ディスプレイケース４６内に、ポータブルコンピュータ４１全体を統括制御するためのＣＰＵ、各種ＲＯＭ、ＲＡＭ等を実装したプリント回路板４７を有している。また、ディスプレイケース４６には、ポインティングデバイス４８が設けられている。
【００２９】
本体ユニット４２は、例えば、合成樹脂によって箱状に形成される筐体１２と、筐体１２の表面に設けられた一対の操作ボタン５１と、を備えている。
【００３０】
図６、図７、図９、図１３に示すように、本体ユニット４２は、筐体１２に対して振動可能に取り付けられた振動モジュール１４と、振動モジュール１４を振動可能に支持した支持部１５と、振動モジュール１４を振動させる発振ユニット１６と、振動モジュール１４から筐体１２に向けて突出した複数の第１の突出部１７と、複数の第１の突出部１７の先端部間に亘って設けられたシート１８と、筐体１２から振動モジュール１４に向けて突出する複数の第２の突出部１９と、筐体１２の内面に固定された平板状の第２のディスプレイ５２と、バッテリ５３と、支持部１５とバッテリ５３との間に介在された絶縁用のインシュレータ５４と、を備えている。第２のディスプレイ５２は、液晶ディスプレイ等で構成されている。
【００３１】
図９に示すように、第２のディスプレイ５２は、スポンジシート等で構成された緩衝材２２を介して筐体１２および振動モジュール１４のカバー２６に固定されている。図６に示される発振ユニット１６は、例えば、モータと、このモータによって回転される偏心おもりと、を有している。発振ユニット１６は、例えば振動モジュール１４に固定されている。
【００３２】
図９に示すように、支持部１５は、筐体１２に固定されている。支持部１５は、振動モジュール１４と筐体１２との間に介在されたリング状の弾性ブッシュ２３と、弾性ブッシュ２３の内側に嵌るようにカバー２６から突出した円筒形のボス部２４と、ボス部２４に設けられた貫通孔２４Ａに嵌った固定部材であるねじ２５と、を有している。弾性ブッシュ２３は、エラストマ（例えば合成ゴム）などの柔軟で可撓性を有した弾性材料によって円筒状に形成されている。
【００３３】
図９、図１３に示すように、振動モジュール１４は、筐体１２から分離して設けられている。振動モジュール１４は、例えば、操作ボタン５１等の操作に応じて、プリント回路板４７からの指令で駆動される発振ユニット１６によって筐体１２とは独立に振動することができる。振動モジュール１４は、平板状で枠状のカバー２６（トップカバー）と、カバー２６の内面から筐体１２に向けて突出した方形板状の板状部２７と、カバー２６の外面に固定された平板状のガラス２８と、カバー２６の内周部に設けられた凹部２９と、カバー２６の外面で当該凹部２９内に嵌ってカバー２６に固定されたタッチパネル３０と、を有している。
【００３４】
図１１と図１２に示すように、板状部２７は、第１の突出部１７が設けられた第１の面２７Ａと、第１の面２７Ａとは反対側の第２の面２７Ｂと、を有している。図１０、図１３に示すように、シート１８は、板状部２７の第１の面２７Ａの第１の突出部１７と第２の面２７Ｂとの両面に接着されている。シート１８は、例えば、「Ｕ」字状の断面形状をなすように板状部２７に固定されている。
【００３５】
図１３に示すように、カバー２６と筐体１２の間には、若干のクリアランス３３（隙間）が設けられており、振動モジュール１４の振動が筐体に伝達されないようになっている。
【００３６】
図１４に示すように、シート１８は、所定の厚みを有した弾性のあるシートである。シート１８は、例えばスポンジシートで構成されている。シート１８は、複数の第１の突出部１７の先端部にそれぞれ接着されている。また、図１４に示すように、第２の突出部１９は、第１の突出部１７同士の間の位置でシート１８に突き当たっている。
【００３７】
続いて、図７、図８、図１０、図１１等を参照して、筐体１２に振動モジュール１４を組み付ける工程について説明する。まず、図７に示すように、第２のディスプレイ５２を筐体１２の内部に装着する。そして、図１０、図１１に示す爪部５５を、図８に示す筐体１２の引掛け部５６の下側に差し込む。なお、引掛け部５６の周囲には、断面「Ｕ」字形をなすようにシート１８が接着されている。続いて、図１０、図１１に示すフック部５７を、図８に示す筐体１２の受け部５８に係合させることで、振動モジュール１４の組み付けが簡単に完了する。逆にこれらを取り外すには、まずフック部５７と受け部５８の係合を解除した後に、爪部５５を引掛け部５６から外すことで取り外しが完了する。
【００３８】
第３の実施形態によれば、ポータブルコンピュータ４１は、筐体１２と、筐体１２の内部に振動可能に収められた振動モジュール１４と、振動モジュール１４を振動させる発振ユニット１６と、振動モジュール１４から筐体１２に向けて突出した複数の第１の突出部１７と、複数の第１の突出部１７の先端部間に亘って設けられたシート１８と、筐体１２に設けられるとともに、第１の突出部１７同士の間の位置でシート１８に突き当たった複数の第２の突出部１９と、を具備する。
【００３９】
この構成によれば、第１の突出部１７同士の間の位置でシート１８に第２の突出部１９が当接されるため、第２の突出部１９が当接する箇所でシート１８が撓んで、第２の突出部１９に働く垂直抗力を極めて小さくすることができる。これによって、第２の突出部１９およびシート１８との間で働く運動摩擦力を極力小さくして、振動モジュール１４を筐体１２から着脱する際に、シート１８が第１の突出部１７から剥がれてしまうことを極力防止できる。また、第１の突出部１７、シート１８、第２の突出部１９を用いた簡単な構造によって、振動モジュール１４の振動が筐体１２に伝わるのを防止することができる。これによって、ポータブルコンピュータ４１の筐体１２にびびり音（振動音）が生ずることがなく、ポータブルコンピュータ４１に高級感を出すことができる。また、第１の突出部１７、シート１８、第２の突出部１９を介した接触構造をとるため、この構造を採用しないポータブルコンピュータ４１に比して、筐体１２と振動モジュール１４との間のクリアランスを極力小さくすることができる。これによって、ポータブルコンピュータ４１の体裁を良好にするとともに、ポータブルコンピュータ４１の筐体１２の小型化に寄与することができる。
【００４０】
また、本実施形態では、シート１８は、板状部２７の第１の面２７Ａと、第２の面２７Ｂとの両面に接着されている。この構成によれば、修理などを行うため、振動モジュール１４を筐体１２に着脱する際に、シート１８が板状部２７から脱落してしまうことを極力防止できる。
【００４１】
また、シート１８は、所定の厚みを有するとともに弾性を有したシート１８である。この構成によれば、シート１８の弾性によって、第１の突出部１７および第２の突出部１９などの寸法の公差を吸収することができる。さらに、シート１８は、スポンジシートであるため、シート１８と第２の突出部１９との間で働く摩擦力および動摩擦係数μ´を小さくして、振動モジュール１４の着脱時にシート１８が第１の突出部１７から剥がれてしまうことをより一層防止できる。
【００４２】
続いて、図１５を参照して、電子機器の第４の実施形態について説明する。第４の実施形態の電子機器の一例であるポータブルコンピュータ４１は、第１の突出部１７、第２の突出部１９、シート１８の構成が第１の実施形態のものと異なっているが、他の部分は共通している。このため、主として第１の実施形態と異なる部分について説明し、共通する箇所については共通の符号を付して説明を省略する。第４の実施形態のポータブルコンピュータ４１は、図６に示すものと同様の外観を有する。
【００４３】
図１５に示すように、板状部２７は、筐体１２と一体に設けられており、筐体１２から振動モジュール１４に向けてリブ状に突出している。板状部２７は、第１の面２７Ａとこれとは反対側の第２の面２７Ｂとを有している。この第１の面２７Ａに複数の第１の突出部１７が設けられている。複数の第１の突出部１７は、筐体１２から振動モジュール１４に向けて突出している。
【００４４】
また、シート１８は、これら複数の第１の突出部１７の先端部の間に亘るようにこれら先端部に接着されている。シート１８が板状部２７の第１の面２７Ａと第２の面２７Ｂの両面に接着されることは第１の実施形態と同様である。また、複数の第２の突出部１９は、振動モジュール１４のカバー２６に設けられている。より具体的には、複数の第２の突出部１９は、カバー２６から筐体１２に向けて立ち上がった縦壁部３４から、シート１８に向けてフィン状に突出している。複数の第２の突出部１９は、第１の突出部１７同士の間の位置でシート１８に突き当たっている。
【００４５】
第４の実施形態によれば、ポータブルコンピュータ４１は、筐体１２と、筐体１２の内部に収められた振動モジュール１４と、筐体１２の内面に取り付けられるとともに、振動モジュール１４を振動可能に支持した支持部１５と、振動モジュール１４を振動させる発振ユニット１６と、筐体１２から振動モジュール１４に向けて突出した複数の第１の突出部１７と、複数の第１の突出部１７の先端部間に亘って設けられたシート１８と、振動モジュール１４に設けられるとともに、第１の突出部１７同士の間の位置でシート１８に突き当たった複数の第２の突出部１９と、を具備する。
【００４６】
この構成によれば、筐体１２に第１の突出部１７を設け、この第１の突出部１７の先端部にシート１８を設ける場合であっても、第２の突出部１９に働く垂直抗力を極めて小さくして、第２の突出部１９およびシート１８との間で働く運動摩擦力を極力小さくすることができる。このため、振動モジュール１４を筐体１２から着脱する際に、シート１８が第１の突出部１７から剥がれてしまうことを極力防止することができる。
【００４７】
続いて、図１６を参照して、電子機器の第５の実施形態について説明する。第５の実施形態の電子機器の一例であるポータブルコンピュータ４１は、シート１８を板状部２７に接着している箇所が第３の実施形態のポータブルコンピュータ４１とは異なっているが、主要な構成において概ね共通している。このため、主として第３の実施形態と異なる部分について説明し、共通する箇所については共通の符号を付して説明を省略する。第５の実施形態のポータブルコンピュータ４１は、図６に示すものと同様の外観を有する。
【００４８】
第５の実施形態では、シート１８は、板状部２７の第１の面２７Ａの第１の突出部１７にのみ接着され、板状部２７の第２の面２７Ｂには接着されていない。シート１８は、例えばスポンジシートで構成されていることは第３の実施形態と同様である。シート１８は、複数の第１の突出部１７の先端部にそれぞれ接着されている。また、第２の突出部１９が第１の突出部１７同士の間の位置でシート１８に突き当たることは、第３の実施形態と同様である。
【００４９】
第５の実施形態によれば、シート１８を板状部２７の第１の面２７Ａのみに接着する場合であっても、第２の突出部１９およびシート１８との間で働く運動摩擦力を極力小さくすることができる。このため、振動モジュール１４を筐体１２から着脱する際に、シート１８が第１の突出部１７から剥がれることを防止するために、この構造を採用してもよい。
【００５０】
図１７を参照して、電子機器の第６の実施形態について説明する。第６の実施形態の電子機器の一例であるポータブルコンピュータ４１は、シート１８を板状部２７に接着している箇所が第４の実施形態のポータブルコンピュータ４１とは異なっているが、主要な構成において概ね共通している。このため、主として第４の実施形態と異なる部分について説明し、共通する箇所については共通の符号を付して説明を省略する。第６の実施形態のポータブルコンピュータ４１は、図６に示すものと同様の外観を有する。
【００５１】
第６の実施形態では、シート１８は、板状部２７の第１の面２７Ａの第１の突出部１７にのみ接着されており、第１の面２７Ａとは反対側の第２の面には接着されていない。シート１８は、例えばスポンジシートで構成されることは第４の実施形態と同様である。シート１８は、複数の第１の突出部１７の先端部にそれぞれ接着されている。また、第２の突出部１９が第１の突出部１７同士の間の位置でシート１８に突き当たっていることは、第４の実施形態と同様である。
【００５２】
第６の実施形態によれば、シート１８が板状部２７の第１の面２７Ａのみに接着される場合であっても、第２の突出部１９およびシート１８との間で働く運動摩擦力を極力小さくできる。このため、振動モジュール１４を筐体１２から着脱する際に、シート１８が第１の突出部１７から剥がれてしまうことを防止するために、この構造を採用しても好適である。
【００５３】
続いて、図１８を参照して、電子機器の第７の実施形態について説明する。第７の実施形態の電子機器の一例であるポータブルコンピュータ４１は、シート１８を板状部に接着している箇所等が第３の実施形態のポータブルコンピュータ４１とは異なっているが、主要な構成において概ね共通している。このため、主として第３の実施形態と異なる部分について説明し、共通する箇所については共通の符号を付して説明を省略する。第７の実施形態のポータブルコンピュータ４１は、図６に示すものと同様の外観を有する。
【００５４】
図１８に示すように、振動モジュール１４のカバー２６は、筐体１２に向けてリブ状に突出した第１の板状部６１を有している。第１の板状部６１は、第１の突出部１７が設けられた第１の面６１Ａと、第１の面６１Ａとは反対側の第２の面６１Ｂと、を有している。第１の突出部１７は、第１の板状部６１の第１の面６１Ａから筐体１２に向けて突出している。シート１８は、第１の突出部１７に接着されている。
【００５５】
また、筐体１２は、振動モジュール１４に向けてリブ状に突出した第２の板状部６２を有している。第２の板状部６２は、第２の突出部１９が設けられた第３の面６２Ａと、第３の面６２Ａとは反対側の第４の面６２Ｂと、を有している。この第２の突出部１９が、第１の突出部１７同士の間の位置でシート１８に突き当たっていることは、第３の実施形態と同様である。
【００５６】
第７の実施形態によれば、筐体１２に第２の板状部６２を設けてこれに第２の突出部１９を形成する場合であっても、第２の突出部１９およびシート１８との間で働く運動摩擦力を極力小さくすることができる。よって、振動モジュール１４を筐体１２から着脱する際に、シート１８が第１の突出部１７から剥がれることを防止するために、この構造を採用することもできる。
【００５７】
図１９を参照して、電子機器の第８の実施形態について説明する。第８の実施形態の電子機器の一例であるポータブルコンピュータ４１は、シート１８を板状部２７に接着している箇所が第４の実施形態のポータブルコンピュータ４１とは異なっているが、主要な構成において概ね共通している。このため、主として第４の実施形態と異なる部分について説明し、共通する箇所については共通の符号を付して説明を省略する。第８の実施形態のポータブルコンピュータ４１は、図６に示すものと同様の外観を有する。
【００５８】
図１９に示すように、筐体１２は、振動モジュール１４に向けてリブ状に突出した第１の板状部６１を有している。第１の板状部６１は、第１の突出部１７が設けられた第１の面６１Ａと、第１の面６１Ａとは反対側の第２の面６１Ｂと、を有している。第１の突出部１７は、第１の板状部６１の第１の面６１Ａから振動モジュール１４に向けて突出している。シート１８は、第１の突出部１７に接着されている。
【００５９】
また、振動モジュール１４のカバー２６は、筐体１２に向けてリブ状に突出した第２の板状部６２を有している。第２の板状部６２は、第２の突出部１９が設けられた第３の面６２Ａと、第３の面６２Ａとは反対側の第４の面６２Ｂと、を有している。第２の突出部１９は、振動モジュール１４から筐体１２に向けて突出している。第２の突出部１９が、第１の突出部１７同士の間の位置でシート１８に突き当たっていることは、第４の実施形態と同様である。
【００６０】
第８の実施形態によれば、振動モジュール１４のカバー２６に第２の板状部６２を設けてこれに第２の突出部１９が形成される場合であっても、第２の突出部１９およびシート１８との間で働く運動摩擦力を極力小さくすることができる。このため、振動モジュール１４を筐体１２から着脱する際に、シート１８が第１の突出部１７から剥がれてしまうことを防止するために、この構造を採用することもできる。
【００６１】
電子機器は、上記実施形態に示したテレビジョン装置１１、ポータブルコンピュータ４１に限らず、例えば携帯電話機のようなその他の電子機器に対しても当然に実施可能である。その他、電子機器は、発明の要旨を逸脱しない範囲で種々変形して実施できることは勿論である。
【００６２】
以下に、本願の原出願である特願２０１０−１１４６３７に記載された発明を付記する。
【００６３】
［１］
筐体と、
前記筐体に取り付けられた振動モジュールと、
前記筐体に固定されるとともに、前記振動モジュールを振動可能に支持した支持部と、
前記振動モジュールを振動させる発振ユニットと、
前記振動モジュールおよび前記筐体のいずれか一方から前記振動モジュールおよび前記筐体のいずれか他方に向けて突出した複数の第１の突出部と、
前記複数の第１の突出部の先端部間に亘って設けられたシートと、
前記振動モジュールおよび前記筐体のいずれか他方に設けられるとともに、前記第１の突出部同士の間の位置で前記シートに突き当たった複数の第２の突出部と、
を具備したテレビジョン装置。
【００６４】
［２］
前記振動モジュールおよび前記筐体のいずれか一方は、板状部を具備し、この板状部は、前記複数の第１の突出部が設けられた第１の面と、この第１の面とは反対側の第２の面と、を有し、
前記シートは、前記第１の面と、前記第２の面との両面に接着された［１］に記載のテレビジョン装置。
【００６５】
［３］
前記シートは、所定の厚みを有するとともに弾性を有したシートである［２］に記載のテレビジョン装置。
【００６６】
［４］
前記シートは、スポンジシートである［３］に記載のテレビジョン装置。
【００６７】
［５］
筐体と、
前記筐体に対して振動可能に取り付けられた振動モジュールと、
前記振動モジュールを振動させる発振ユニットと、
前記振動モジュールおよび前記筐体のいずれか一方から前記振動モジュールおよび前記筐体のいずれか他方に向けて突出した複数の第１の突出部と、
前記複数の第１の突出部の先端部間に亘って設けられたシートと、
前記振動モジュールおよび前記筐体のいずれか他方に設けられるとともに、前記第１の突出部同士の間の位置で前記シートに突き当たった複数の第２の突出部と、
を具備した電子機器。
【００６８】
［６］
前記複数の第１の突出部が設けられた第１の面と、この第１の面とは反対側の第２の面と、を有した板状部を具備し、
前記シートは、前記第１の面と、前記第２の面との両面に接着された［５］に記載の電子機器。
【００６９】
［７］
前記シートは、所定の厚みを有するとともに弾性を有したシートである［６］に記載の電子機器。
【００７０】
［８］
前記シートは、スポンジシートである［７］に記載の電子機器。
【符号の説明】
【００７１】
１１…テレビジョン装置、１２…筐体、１４…振動モジュール、１５…支持部、１６…発振ユニット、１７…第１の突出部、１８…シート、１９…第２の突出部、２６…カバー、２７…板状部、２７Ａ…第１の面、２７Ｂ…第２の面、４１…ポータブルコンピュータ、６１…第１の板状部、６１Ａ…第１の面、６１Ｂ…第２の面、６２…第２の板状部、６２Ａ…第３の面、６２Ｂ…第４の面
【図１】
2011244427.tif 000003
【図２】
2011244427.tif 000004
【図３】
2011244427.tif 000005
【図４】
2011244427.tif 000006
【図５】
2011244427.tif 000007
【図６】
2011244427.tif 000008
【図７】
2011244427.tif 000009
【図８】
2011244427.tif 000010
【図９】
2011244427.tif 000011
【図１０】
2011244427.tif 000012
【図１１】
2011244427.tif 000013
【図１２】
2011244427.tif 000014
【図１３】
2011244427.tif 000015
【図１４】
2011244427.tif 000016
【図１５】
2011244427.tif 000017
【図１６】
2011244427.tif 000018
【図１７】
2011244427.tif 000019
【図１８】
2011244427.tif 000020
【図１９】
2011244427.tif 000021
【手続補正書】
【提出日】平成23年6月17日(2011.6.17)
【手続補正１】
【補正対象書類名】特許請求の範囲
【補正対象項目名】全文
【補正方法】変更
【補正の内容】
【特許請求の範囲】
【請求項１】
筐体と、
前記筐体に振動可能に取り付けられた振動モジュールと、
前記振動モジュールおよび前記筐体のいずれか一方から前記振動モジュールおよび前記筐体のいずれか他方に向けて突出した複数の第１の突出部と、
前記複数の第１の突出部の先端部間に亘って設けられたシートと、
前記振動モジュールおよび前記筐体のいずれか他方に設けられるとともに、前記第１の突出部同士の間の位置で前記シートに突き当たった複数の第２の突出部と、
を具備した電子機器。
【請求項２】
筐体と、
前記筐体に振動可能に取り付けられたモジュールと、
前記モジュールおよび前記筐体のいずれか一方から前記モジュールおよび前記筐体のいずれか他方側に突出した第１の突出部と、
前記第１の突出部から外れた位置で前記モジュールおよび前記筐体のいずれか他方から前記モジュールおよび前記筐体のいずれか一方側に突出した第２の突出部と、
前記第１の突出部と前記第２の突出部との間に設けられた緩衝部と、
を具備した電子機器。
【請求項３】
前記モジュールおよび前記筐体のいずれか一方は、板状部を具備し、この板状部は、前記第１の突出部が設けられた第１の面と、この第１の面とは反対側の第２の面と、を有し、
前記緩衝部は、前記第１の面と、前記第２の面との両面に接着された請求項２に記載の電子機器。
【請求項４】
前記緩衝部は、所定の厚みを有するとともに弾性を有したシートである請求項３に記載の電子機器。
【請求項５】
前記緩衝部は、スポンジシートである請求項４に記載の電子機器。
【請求項６】
筐体と、
前記筐体に変位可能に取り付けられたモジュールと、
前記モジュールおよび前記筐体のいずれか一方から前記モジュールおよび前記筐体のいずれか他方側に突出した突出部と、
前記突出部の先端と前記モジュールおよび前記筐体のいずれか他方との間に設けられた緩衝部と、
前記突出部が設けられた第１の面と、この第１の面とは反対側の第２の面と、を有した板状部と、
を具備し、
前記緩衝部は、前記第１の面と、前記第２の面との両面に接着された電子機器。
【請求項７】
前記緩衝部は、所定の厚みを有するとともに弾性を有したシートである請求項６に記載の電子機器。
【請求項８】
前記緩衝部は、スポンジシートである請求項７に記載の電子機器。